(57)【要約】【課題】雑音端子電圧を低減する。【解決手段】照明装置１は、直管形の蛍光灯１０と、２次電池１１と、蛍光灯１０を点灯する点灯回路部１３と、信号線２を通して制御装置３から制御信号を受信したり、制御装置３に対して応答信号を送信する通信部１４と、上流側並びに下流側の信号線２Ａ，２Ｂが接続される通信端子台１５とを備える。信号線２Ａ，２Ｂは一対の信号線路２ｂ，２ｃとシールド線２ａを有する。２つの信号線２Ａ，２Ｂのシールド線２ａをコンデンサ１６を介して接地したため、コンデンサ１６によって２つの信号線２Ａ，２Ｂを直流的に絶縁しつつ、接地電位を他の照明装置１と高周波的に揃えることができる。その結果、交流電源ＡＣに放出される雑音端子電圧を低減することができる。【選択図】        図１
2005183320.tif 000002
【特許請求の範囲】
【請求項１】
複数台の照明装置がシールド付きの信号線により制御装置と直接又は他の照明装置を介して接続され、制御装置から信号線を通して伝送される制御信号によりそれぞれの照明装置が制御される照明システムに用いられ、光源と、光源を点灯する点灯回路部と、制御装置に直接又は他の照明装置を介して接続された上流側の信号線を通して制御装置から伝送された制御信号を受信する通信部とを備えた照明装置であって、他の照明装置のみが接続された下流側の信号線が具備するシールド用の導体と前記上流側の信号線が具備するシールド用の導体をコンデンサを介して接地してなることを特徴とする照明装置。
【発明の詳細な説明】
【技術分野】
【０００１】
本発明は、複数台の照明装置がシールド付きの信号線により制御装置と直接又は他の照明装置を介して接続され、制御装置から信号線を通して伝送される制御信号によりそれぞれの照明装置が制御される照明システムに用いられる照明装置に関するものである。
【背景技術】
【０００２】
従来、図３に示すような照明システムが提供されている。この従来システムは、複数台の制御装置１０１が信号線１０２によって１台の親機１００と接続され、各制御装置１０１には信号線１０４によって複数台の照明装置１０３が接続されてなり、親機１００からの指令に応じて各制御装置１０１が信号線１０４を通して照明装置１０３に制御信号（例えば、照明装置１０３の調光レベルを指示する調光信号）を伝送して個々の照明装置１０３を制御（調光）するものであった。
【０００３】
また、他の照明システムとして図４に示すようなものも提供されている（例えば、特許文献１参照）。この従来システムは、複数台の照明装置１が信号線２により制御装置３と接続され、制御装置３から信号線２を通して伝送される制御信号によりそれぞれの照明装置１が制御されるものである。
【特許文献１】特開平９−１４７６２３号公報
【発明の開示】
【発明が解決しようとする課題】
【０００４】
ところで、上述のような照明システムにおいては、雷サージなどから機器を保護するために信号線１０２，２にシールド付きのものを用いることが多い。シールド付きの信号線１０２，２を用いる場合、シールド用の導体（シールド線）１０２ａ，２ａを複数箇所で接地すると接地位置に僅かでも電位差が生じていると漏れ電流が流れてしまうから、信号線１０２，２の上流側、すなわち、前者の従来システムであれば親機１００、後者の従来システムであれば制御装置３において一点で接地することが多い（図３及び図４参照）。
【０００５】
このように信号線１０２，２のシールド線１０２ａ，２ａを一点で接地した場合、信号線１０２，２のシールド線１０２ａ，２ａがアンテナとしてはたらき、制御装置１０１や照明装置１で発生したノイズがシールド線１０２ａ，２ａを伝って親機１００や制御装置３に回り込んで雑音端子電圧として電源に放出される虞があった。
【０００６】
本発明は上記事情に鑑みて為されたものであり、その目的は、雑音端子電圧を低減することができる照明装置を提供することにある。
【課題を解決するための手段】
【０００７】
本発明は、上記目的を達成するために、複数台の照明装置がシールド付きの信号線により制御装置と直接又は他の照明装置を介して接続され、制御装置から信号線を通して伝送される制御信号によりそれぞれの照明装置が制御される照明システムに用いられ、光源と、光源を点灯する点灯回路部と、制御装置に直接又は他の照明装置を介して接続された上流側の信号線を通して制御装置から伝送された制御信号を受信する通信部とを備えた照明装置であって、他の照明装置のみが接続された下流側の信号線が具備するシールド用の導体と前記上流側の信号線が具備するシールド用の導体をコンデンサを介して接地してなることを特徴とする。
【発明の効果】
【０００８】
本発明によれば、他の照明装置のみが接続された下流側の信号線が具備するシールド用の導体と前記上流側の信号線が具備するシールド用の導体をコンデンサを介して接地したため、上流側及び下流側の信号線を直流的に絶縁しつつ、接地電位を他の照明装置と高周波的に揃えることができ、その結果、シールド用の導体がアンテナとなって拾ったノイズがコンデンサを介してアースへ流れ込み、点灯回路部や制御装置に回り込むことが無くなって雑音端子電圧を低減することができるという効果がある。
【発明を実施するための最良の形態】
【０００９】
以下、本発明を非常用照明装置（例えば、誘導灯など）に適用した実施形態について図面を参照して詳細に説明する。但し、これに限定する趣旨ではなく、非常用照明装置以外の照明装置にも本発明の技術思想が適用可能であることはいうまでもない。
【００１０】
本実施形態の非常用照明装置（以下、「照明装置」と略す）１は、図１に示すように直管形の蛍光灯１０と、２次電池１１と、商用の交流電源ＡＣが接続される電源端子台１２と、蛍光灯１０を点灯する点灯回路部１３と、信号線２を通して制御装置３から制御信号を受信したり、後述するように制御装置３に対して応答信号を送信する通信部１４と、上流側並びに下流側の信号線２Ａ，２Ｂが接続される通信端子台１５とを備えている。尚、信号線２Ａ，２Ｂは一対の信号線路２ｂ，２ｃとシールド線２ａを有しており、通信端子台１５に接続されることで送り配線される。
【００１１】
点灯回路部１３は、交流電源ＡＣの電源電圧を所望のレベルへ降圧するとともに交流電源ＡＣの電源電圧を監視し、電源電圧が所定値以上であるとき（非停電時）に２次電池１１に充電電流を供給する充電機能と、非停電時には交流電源ＡＣから電源供給を受けて蛍光灯１０を点灯するとともに電源電圧が所定値以下となったとき（停電時）には２次電池１１から電源供給を受けて蛍光灯１０を点灯する非常点灯機能と、さらに、非常点灯が正常に行われるか否かを点検する点検機能とを有する。但し、これら充電機能、非常点灯機能並びに点検機能を実現するための具体的な回路構成は従来周知の技術を用いて実現可能であるから詳細な説明は省略する。
【００１２】
通信部１４は、通信端子台１５を介して各信号線２Ａ，２Ｂと並列に接続され、信号線２Ａ，２Ｂを通して制御装置３から伝送されてくる制御信号に含まれるアドレスが予め設定された自己のアドレスと一致したときに当該制御信号を受信し、受信した制御信号から制御データ（点灯回路部１３の点検機能を動作させるためのコマンドデータなど）を復調して点灯回路部１３に出力する受信処理機能と、点灯回路部１３から点検機能による点検結果のデータが入力されると当該点検結果データ及び自己のアドレスを変調して応答信号を作成し、信号線２Ａ，２Ｂを通して制御装置３に送信する送信処理機能とを有する。但し、これらの受信機能並びに送信機能を実現するための具体的な回路構成は従来周知の技術を用いて実現可能であるから詳細な説明は省略する。
【００１３】
一方、制御装置３は照明装置１に個別に割り当てられたアドレスで個々の照明装置１を認識し、予め作成されたタイムスケジュールに従って個々の照明装置１に点検を行わせるための制御信号を送信するとともに、各照明装置１から返送される応答信号を受信し、応答信号に含まれる点検結果に応じた処理、例えば、点検結果が異常であった照明装置１のアドレスを表示して管理者に知らせる処理などを行う。但し、このような処理を実行する具体的な回路構成は従来周知の技術を用いて実現可能であるから詳細な説明を省略する。
【００１４】
ところで、従来例のように信号線２Ａのシールド線２ａが制御装置３においてのみ接地されていると、照明装置１の通信部１４に接続される信号線２Ａ，２Ｂのシールド線２ａがアンテナとしてはたらき、蛍光灯１０から発する電磁波ノイズや点灯回路部１３から放射されるノイズなどが信号線路２ａ，２ｂを介して交流電源ＡＣに回り込み、雑音端子電圧が大きくなってしまう可能性がある。本発明者らの実験によると、図２（ａ）に示すように１ＭＨｚ±１００ｋＨｚ付近にピーク（約６０ｄＢ（μＶ））を持った雑音と、１０ＭＨｚ±１ＭＨｚ付近にピーク（約６５ｄＢ（μＶ））を持った雑音として交流電源ＡＣに放出されることが判った。
【００１５】
そこで本実施形態においては、図１に示すように２つの信号線２Ａ，２Ｂのシールド線２ａをコンデンサ１６を介して接地しており、このコンデンサ１６によって２つの信号線２Ａ，２Ｂを直流的に絶縁しつつ、接地電位を他の照明装置１と高周波的に揃えることができる。その結果、シールド線２ａがアンテナとなって拾ったノイズがコンデンサ１６を介してアースへ流れ込み、点灯回路部１３や制御装置３に回り込むことが無くなって交流電源ＡＣに放出される雑音端子電圧を低減することができる。尚、図１における破線は回路のグランドラインを表している。本発明者らの実験によると、コンデンサ１６として２．２μＦのセラミックコンデンサを用いた場合、図２（ｂ）に示すように１ＭＨｚ±１００ｋＨｚ付近の雑音のピークが約６０ｄＢ（μＶ）から４０〜５０ｄＢ（μＶ）まで低減され、１０ＭＨｚ±１ＭＨｚ付近の雑音のピークが約６５ｄＢ（μＶ）から４０〜５０ｄＢ（μＶ）まで低減されることが確かめられた。
【図面の簡単な説明】
【００１６】
【図１】本発明の実施形態を示すブロック図である。
【図２】（ａ）は従来例の雑音端子電圧の測定結果、（ｂ）は本実施形態の雑音端子電圧の測定結果を示している。
【図３】従来の照明システムを示すシステム構成図である。
【図４】従来の他の照明システムを示すシステム構成図である。
【符号の説明】
【００１７】
１  照明装置
２Ａ，２Ｂ  信号線
２ａ  シールド線
３  制御装置
１０  蛍光灯
１３  点灯回路部
１４  通信部
１６  コンデンサ
【図１】
2005183320.tif 000003
【図２】
2005183320.tif 000004
【図３】
2005183320.tif 000005
【図４】
2005183320.tif 000006